(57)【要約】【課題】  所望の光量でレーザ光を出射させることができる発光素子制御装置、および、信頼性の高い安定した記録／再生が可能な光情報記録再生装置を実現する。【解決手段】  本発明の光情報記録再生装置１は、発光素子制御装置１４を備えている。発光素子制御装置１４は、パルス信号を生成するパルス生成回路１８を備え、該パルス信号を用いて半導体レーザ４に供給する電流をパルス変調させ、半導体レーザ４をパルス発光させるようになっている。上記発光素子制御装置１４は、さらに、半導体レーザ４の発光開始電流値である閾値電流を検出するコントローラ１７と、該コントローラ１７の検出結果に基づいて、パルス信号のパルス幅を調整するデューティ調整回路１９とを備えている。【選択図】  図１
2005191264.tif 000002
【特許請求の範囲】
【請求項１】
パルス信号を生成するパルス生成手段を備え、該パルス信号を用いて発光素子に供給する電流をパルス変調させ、発光素子をパルス発光させる発光素子制御装置であって、
上記発光素子の発光開始電流値である閾値電流を検出する閾値検出手段と、
上記閾値検出手段の検出結果に基づいて、パルス信号のパルス幅を調整するパルス幅調整手段とを備えていることを特徴とする発光素子制御装置。
【請求項２】
上記閾値検出手段は、パルス信号のパルス幅を調整するためのパルス幅調整信号を出力するようになっていることを特徴とする請求項１に記載の発光素子制御装置。
【請求項３】
上記パルス幅調整手段は、発光素子のパルス発光のデューティが５０％となるようにパルス幅を調整するようになっていることを特徴とする請求項１または２に記載の発光素子制御装置。
【請求項４】
パルス信号を生成するパルス生成手段を備え、該パルス信号を用いて発光素子に供給する電流をパルス変調させ、発光素子をパルス発光させる発光素子制御装置であって、
上記発光素子の発光開始電流値である閾値電流を検出するとともに、該検出結果に基づいて、発光素子の最大出射光量を調整する光量調整信号を出力する光量調整手段を備えていることを特徴とする発光素子制御装置。
【請求項５】
上記光量調整手段は、発光素子の最大出射光量を一定の値に調整するようになっていることを特徴とする請求項４に記載の発光素子制御装置。
【請求項６】
電流が供給されることにより光を出射する発光素子と、該電流をパルス変調させるパルス信号を生成するパルス生成手段とを備え、該発光素子は、記録媒体に情報を記録する際に、パルス光を出射するようになっている光情報記録再生装置であって、
上記発光素子から出射された光の光量を検出する光検出手段と、
上記光検出手段の検出結果に基づいて、電流の値を制御する電流制御信号を出力する電流制御手段と、
上記電流制御信号に基づいて、発光素子の発光開始電流値である閾値電流を検出する閾値検出手段と、
上記閾値検出手段の検出結果に基づいて、パルス信号のパルス幅を調整するパルス幅調整手段とを備えていることを特徴とする光情報記録再生装置。
【請求項７】
上記閾値検出手段は、パルス信号のパルス幅を調整するためのパルス幅調整信号を出力するようになっていることを特徴とする請求項６に記載の光情報記録再生装置。
【請求項８】
上記パルス幅調整手段は、発光素子のパルス発光のデューティが５０％となるようにパルス幅を調整するようになっていることを特徴とする請求項６または７に記載の光情報記録再生装置。
【請求項９】
電流が供給されることにより光を出射する発光素子と、該電流をパルス変調させるパルス信号を生成するパルス生成手段とを備え、該発光素子は、記録媒体に情報を記録する際に、パルス光を出射するようになっている光情報記録再生装置であって、
上記発光素子から出射された光の光量を検出する光検出手段と、
上記光検出手段の検出結果に基づいて、電流の値を制御する電流制御信号を出力する電流制御手段と、
上記電流制御信号に基づいて、発光素子の発光開始電流値である閾値電流を検出するとともに、該検出結果に基づいて、発光素子の最大出射光量を調整する光量調整信号を出力する光量調整手段とを備えていることを特徴とする光情報記録再生装置。
【請求項１０】
上記光量調整手段は、発光素子の最大出射光量を一定の値に調整するようになっていることを特徴とする請求項９に記載の光情報記録再生装置。
【発明の詳細な説明】
【技術分野】
【０００１】
本発明は、光磁気ディスク装置等の光情報記録再生装置の光源として用いられる半導体レーザ等の発光素子から出射される光の出射光量を制御する発光素子制御装置および光情報記録再生装置に関し、特に半導体レーザ等の発光素子をパルス発光する際の制御に関するものである。
【背景技術】
【０００２】
従来から、大容量の光情報記録再生装置として、ＭＤ（Mini Disk）等の光磁気ディスク装置が知られている。このようなポータブル機器の普及に伴い、装置の更なる小型化や低消費電力化への要求は高まる一方である。また、情報の大容量化に伴い、光磁気ディスクの高密度化および高速化が進み、高い信頼性で情報を記録再生することのできる装置が望まれている。
【０００３】
光磁気ディスク装置では、情報の記録再生に用いる発光素子として半導体レーザが使用されている。半導体レーザは、一般に温度ドリフトの影響が大きいため、出射光量を制御する制御装置を用いて、光磁気ディスクに照射されるレーザ光の光量を所定の値に保持するようになっている。
【０００４】
また、光磁気ディスクに記録された情報を再生する場合、半導体レーザから出射されるレーザ光は、一定出力で直流発光される。一方、光磁気ディスク媒体に情報を記録する場合には、光磁気ディスクに高密度に情報を記録するのに適した方法として、レーザパルス発光磁界変調による方法が提案されている。これは、記録する情報データに応じて磁界を変調するとともに、チャネルクロック周波数でレーザ光をパルス発光させるものである（例えば、特許文献１ないし３参照）。
【０００５】
特許文献１では、レーザ制御回路にはデータＰＰＬ回路より出力されるデータクロックが供給され、光学ヘッドよりディスクへの光ビームの照射がデータクロックに同期して間欠的に行われている。このように、光ビームの照射を間欠的に行うことで、連続的に光ビームを照射する場合に比して、ビットを形成した周囲の領域の温度変化を低減でき、その分温度変化によるビット形成位置のずれを未然に防止できるという技術が開示されている。
【０００６】
特許文献２では、レーザダイオード駆動回路において、スイッチングトランジスタとレーザダイオードとの間に定電流回路を接続し、スイッチングトランジスタに流れる電流のｎ倍の大きさの電流をレーザダイオードに流れるようにしたので、消費電力を小さくすることができ、しかも定電流回路の周波数特性に制限されずに、レーザダイオードを高周波でスイッチングしている。すなわち、低消費電力でレーザ光をパルス発光させる技術が開示されている。
【０００７】
特許文献３では、複数の遅延位相を得ることのできるディレー用デバイスにより、データクロックに正確な遅延位相を与えて、パルス発光するレーザ光の発光・消光位置を正確に設定し、また、磁界変調データもレーザ光のパルス発光のタイミングに合わせて別途位相設定を行っている。これにより、光磁気ディスク装置に適したレーザ駆動パルスおよび磁気ヘッド駆動パルスを得ることができる技術が開示されている。
【０００８】
ここで、半導体レーザのレーザ駆動電流とレーザ発光光量との関係について説明する。図６は、一般に、Ｉ−Ｐ曲線と呼ばれる、半導体レーザの駆動電流（順方向電流）と出射光量との関係を示すグラフである。図６に示すように、半導体レーザが発光を開始する電流である閾値電流Ｉｔｈ以下では、半導体レーザはレーザ光を発光しない。これに対して、閾値電流Ｉｔｈを超えると半導体レーザはレーザ光を発光し、ほぼ駆動電流に比例して発光光量が増加する。
【０００９】
半導体レーザは、温度ドリフトの影響が大きく、温度によってその閾値電流が大きく変化する。図６では、２０℃における閾値電流をＩｔｈ２０とし、５０℃における閾値電流をＩｔｈ５０として例示している。閾値電流は、温度に対して線形変化ではないものの、その平均変化率は、０℃から５０℃において、大きいものでは１％／℃にも及ぶ。また、閾値電流の値は、半導体レーザの経時変化によっても変化する。
【００１０】
半導体レーザをパルス発光させる場合、駆動電流を所定の光量で発光する電流値までパルス駆動させることになる。図７は、半導体レーザをパルス発光させる場合のパルス波形を示している。図７（ａ）は、駆動電流のパルス波形を示しており、横軸が時間、縦軸が駆動電流量である。図７（ｂ）は、図７（ａ）における半導体レーザのパルス波形を示しており、横軸が時間、縦軸が出射光量である。
【００１１】
図７（ａ）・（ｂ）に示すように、駆動電流が半導体レーザの閾値電流Ｉｔｈ以下である場合、半導体レーザからの出射量はほぼゼロになる。また、非発光時Ｔｄの期間においては、電流の消費を抑えるために、駆動電流はゼロであることが望ましい。
【００１２】
しかしながら、半導体レーザをパルス発光させる際の駆動電流の立上り／立下りにはある程度の時間を要する。パルス発光の周波数は、光磁気ディスクの記録／再生が高速化することに伴い、１０ＭＨｚを超える（周期１００ｎｓ以下の）周波数となってきている。これに対して、半導体レーザの駆動電流は、数１０ｍＡが必要であり、高速に切り替わるスイッチング回路を用いた場合であっても、駆動電流の立上りＴｒ／立下りＴｆには数ｎｓの時間を要することがある。
【００１３】
半導体レーザの閾値電流Ｉｔｈが変化すると、パルス発光のデューティが変化してしまう。すなわち、半導体レーザが発光する時間が変化してしまい、発光時間と消光時間との割合が変化してしまう。具体的には、半導体レーザは、駆動電流が閾値電流を超える時点からパルス発光し、駆動電流が閾値電流より低くなると非発光状態となるため、閾値電流がＩｔｈ２０の場合にはＴ２０の期間発光し、閾値電流がＩｔｈ５０の場合にはＴ５０の期間発光することになる。
【００１４】
このようなパルス発光のデューティ変化は、パルス発光するレーザ光の光量を変化させることとなり、適切な光量で光磁気ディスクにレーザ光を照射することができなくなる。また、磁界変調データとレーザ光のパルス発光とのタイミングにずれを生じさせてしまうこととなる。このため、情報の記録に高い信頼性が要求される光磁気ディスク装置においては、半導体レーザの閾値電流の変化に伴う、パルス発光のデューティ変化は無視できない問題である。
【００１５】
なお、レーザ光をパルス発光させる際に、パルス発光のデューティが変化してしまうという問題を解決する方法はいくつか提案されている（例えば、特許文献４ないし７参照）。
【００１６】
特許文献４には、温度センサを用いて、レーザの動作温度を検出し、検出温度に応じてレーザを駆動するパルス信号のデューティを変化させることにより、光出力のデューティを一定に保持する技術が開示されている。また、特許文献５および６には、光検出器によりパルス発光するレーザ光をモニターし、そのパルス幅（デューティ）を検出して、所定のデューティとなるように制御する技術が開示されている。また、特許文献７には、パルス電流と直流のバイアス電流によってレーザを駆動する駆動回路おいて、パルス電流に対する発光電流（閾値を超える領域の電流）の割合を一定に保つように駆動電流を制御することで、光出力のデューティを一定に保持する技術が開示されている。
【特許文献１】特開平５−２２５６３８号公報（平成５年(1993)９月３日公開）
【特許文献２】特開平６−３４９０９７号公報（平成６年(1994)１２月２２日公開）
【特許文献３】特開平７−２６４０２３号公報（平成７年(1995)１０月１３日公開）
【特許文献４】特開平３−１９２７８４号公報（平成３年(1991)８月２２日公開）
【特許文献５】特開平３−９１２７７号公報（平成３年(1991)４月１６日公開）
【特許文献６】特開平５−６３２７２号公報（平成５年(1993)３月１２日公開）
【特許文献７】特開平６−８５３６２号公報（平成６年(1994)３月２５日公開）
【発明の開示】
【発明が解決しようとする課題】
【００１７】
しかしながら、上記特許文献４に記載の技術では、レーザの動作温度に応じてパルス発光のデューティを補正しているため、半導体レーザの経時変化に伴う閾値電流の変化に起因するパルス発光のデューティ変化を補正できないという問題点を有する。また、レーザ近傍に温度センサを配置して温度を検出する構成では、装置を小型化することができないという問題点をも有している。
【００１８】
また、特許文献５および６に記載の技術では、光検出器にてパルス発光のデューティを検出しているものの、高速化が進む装置では、パルス発光のデューティを精度よく検出することは困難であるという問題点を有している。
【００１９】
さらに、特許文献７に記載の技術では、パルス電流と直流のバイアス電流とによってレーザを駆動しており、パルス電流に対する発光電流の割合を一定に保つように駆動電流を制御するためには、バイアス電流をゼロにすることができない。このため、特許文献７に記載の技術では、消費電力を抑制することは困難であるという問題点を有している。
【００２０】
また、上記特許文献１ないし３には上記問題点を解決するための具体的な提案はなされていない。すなわち、上記したいずれの特許文献においても、半導体レーザの閾値電流の変化に伴う、パルス発光のデューティ変化を制御することはできない。
【００２１】
本発明は、上記の問題点に鑑みてなされたものであり、その目的は、閾値電流が変化する場合であっても、パルス発光のデューティを所定の値となるように制御して、常に所望の光量でレーザ光を出射させることができる発光素子制御装置、および、常に信頼性の高い安定した記録／再生が可能な光情報記録再生装置を実現することにある。
【課題を解決するための手段】
【００２２】
本発明に係る発光素子制御装置は、上記課題を解決するために、パルス信号を生成するパルス生成手段を備え、該パルス信号を用いて発光素子に供給する電流をパルス変調させ、発光素子をパルス発光させる発光素子制御装置であって、上記発光素子の発光開始電流値である閾値電流を検出する閾値検出手段と、上記閾値検出手段の検出結果に基づいて、パルス信号のパルス幅を調整するパルス幅調整手段とを備えていることを特徴としている。
【００２３】
上記の構成によれば、発光素子制御装置は、パルス生成手段にて生成されたパルス信号を用いて電流をパルス変調し、発光素子をパルス発光するように制御している。また、閾値検出手段が閾値電流を検出し、この検出結果に基づいて、パルス幅調整手段がパルス信号のパルス幅を調整するようになっている。これにより、発光素子の閾値電流が変化した場合であっても、所望のパルス発光をするように発光素子を制御することができるため、発光素子を常に所望の光量にてパルス発光させることができるという効果を奏する。
【００２４】
本発明に係る発光素子制御装置では、上記閾値検出手段は、パルス信号のパルス幅を調整するためのパルス幅調整信号を出力するようになっていることが好ましい。上記閾値検出手段がパルス幅調整信号を出力するようになっていることにより、パルス幅調整手段は、このパルス幅調整信号に基づいてパルス信号のパルス幅を調整することができるため、安定したパルス幅の調整を行うことができるというさらなる効果を奏する。
【００２５】
本発明に係る発光素子制御装置では、上記パルス幅調整手段は、発光素子のパルス発光のデューティが５０％となるようにパルス幅を調整するようになっていることが好ましい。上記発光素子のパルス発光のデューティが５０％となるようにパルス幅を調整することにより、発光素子の閾値電流が変化した場合であっても、常に一定の光量にてパルス発光させることができるというさらなる効果を奏する。
【００２６】
本発明に係る発光素子制御装置は、上記課題を解決するために、パルス信号を生成するパルス生成手段を備え、該パルス信号を用いて発光素子に供給する電流をパルス変調させ、発光素子をパルス発光させる発光素子制御装置であって、上記発光素子の発光開始電流値である閾値電流を検出するとともに、該検出結果に基づいて、発光素子の最大出射光量を調整する光量調整信号を出力する光量調整手段を備えていることを特徴としている。
【００２７】
上記の構成によれば、発光素子制御装置は、パルス生成手段にて生成されたパルス信号を用いて電流をパルス変調し、発光素子をパルス発光するように制御している。また、光量調整手段が閾値電流を検出するとともに、この検出結果に基づいて、発光素子の最大出射光量を調整する光量調整信号を出力するようになっている。これにより、発光素子の閾値電流が変化した場合であっても、発光素子の最大出射光量を所望の値となるように制御することができるため、発光素子を常に所望の光量にてパルス発光させることができるという効果を奏する。
【００２８】
本発明に係る発光素子制御装置では、上記光量調整手段は、発光素子の最大出射光量を一定の値に調整するようになっていることが好ましい。これにより、発光素子は、閾値電流が変化した場合であっても、最大出射光量が一定のパルス発光をすることができるというさらなる効果を奏する。
【００２９】
本発明に係る光情報記録再生装置は、上記課題を解決するために、電流が供給されることにより光を出射する発光素子と、該電流をパルス変調させるパルス信号を生成するパルス生成手段とを備え、該発光素子は、記録媒体に情報を記録する際に、パルス光を出射するようになっている光情報記録再生装置であって、上記発光素子から出射された光の光量を検出する光検出手段と、上記光検出手段の検出結果に基づいて、電流の値を制御する電流制御信号を出力する電流制御手段と、上記電流制御信号に基づいて、発光素子の発光開始電流値である閾値電流を検出する閾値検出手段と、上記閾値検出手段の検出結果に基づいて、パルス信号のパルス幅を調整するパルス幅調整手段とを備えていることを特徴としている。
【００３０】
上記の構成によれば、光情報記録再生装置は、記録媒体に情報を記録する際に、パルス信号によって電流がパルス変調され、発光素子がパルス発光するようになっている。また、光検出手段が発光素子から出射された光の光量を検出し、この検出結果に基づいて、電流制御手段が電流制御信号を出力する。さらに、この電流制御信号に基づいて、閾値検出手段が閾値電流を検出する。そして、この検出結果に基づいて、パルス幅調整手段がパルス信号のパルス幅を調整するようになっている。
【００３１】
すなわち、発光素子から出射される光の光量を検出することによって、所望の光量となるように制御されている。また、閾値検出手段によって閾値電流を検出し、この検出結果に基づいてパルス幅を調整しているため、閾値電流が変化する場合であっても発光素子から出射される光の光量を常に所望の光量となるように制御することができる。これにより、記録媒体への情報の記録を高精度で行うことができるという効果を奏する。
【００３２】
本発明に係る光情報記録再生装置では、上記閾値検出手段は、パルス信号のパルス幅を調整するためのパルス幅調整信号を出力するようになっていることが好ましい。上記閾値検出手段がパルス幅調整信号を出力するようになっていることにより、パルス幅調整手段は、このパルス幅調整信号に基づいてパルス信号のパルス幅を調整することができるため、安定したパルス幅の調整を行うことができ、記録媒体への情報の記録をより安定して行うことができるというさらなる効果を奏する。
【００３３】
本発明に係る光情報記録再生装置では、上記パルス幅調整手段は、発光素子のパルス発光のデューティが５０％となるようにパルス幅を調整するようになっていることが好ましい。上記発光素子のパルス発光のデューティが５０％となるようにパルス幅を調整することにより、発光素子の閾値電流が変化した場合であっても、常に一定の光量にてパルス発光させることができるため、記録媒体への情報の記録をより高精度で行うことができるというさらなる効果を奏する。
【００３４】
本発明に係る光情報記録再生装置では、上記課題を解決するために、電流が供給されることにより光を出射する発光素子と、該電流をパルス変調させるパルス信号を生成するパルス生成手段とを備え、該発光素子は、記録媒体に情報を記録する際に、パルス光を出射するようになっている光情報記録再生装置であって、上記発光素子から出射された光の光量を検出する光検出手段と、上記光検出手段の検出結果に基づいて、電流の値を制御する電流制御信号を出力する電流制御手段と、上記電流制御信号に基づいて、発光素子の発光開始電流値である閾値電流を検出するとともに、該検出結果に基づいて、発光素子の最大出射光量を調整する光量調整信号を出力する光量調整手段とを備えていることを特徴としている。
【００３５】
上記の構成によれば、光情報記録再生装置は、記録媒体に情報を記録する際に、パルス信号によって電流がパルス変調され、発光素子がパルス発光するようになっている。また、光検出手段が発光素子から出射された光の光量を検出し、この検出結果に基づいて、電流制御手段が電流制御信号を出力する。さらに、この電流制御信号に基づいて、光量調整手段が閾値電流を検出するとともに、光量調整信号を出力するようになっている。
【００３６】
すなわち、発光素子から出射される光の光量を検出することによって、所望の光量となるように制御されている。また、閾値検出手段によって閾値電流を検出し、この検出結果に基づいて最大出射光量を調整しているため、閾値電流が変化する場合であっても発光素子から出射される最大出射光量を常に所望の光量となるように制御することができる。これにより、記録媒体への情報の記録を高精度で行うことができるという効果を奏する。
【００３７】
本発明に係る光情報記録再生装置では、上記光量調整手段は、発光素子の最大出射光量を一定の値に調整するようになっていることが好ましい。光量調整手段が発光素子の最大出射光量を一定の値に調整することにより、閾値電流が変化する場合であっても、記録媒体に照射する最大出射光量を制御することが可能となり、記録媒体への情報の記録をより高精度で行うことができるというさらなる効果を奏する。
【発明の効果】
【００３８】
本発明に係る発光素子制御装置は、以上のように、発光素子の発光開始電流値である閾値電流を検出する閾値検出手段と、上記閾値検出手段の検出結果に基づいて、パルス信号のパルス幅を調整するパルス幅調整手段とを備えている。また、本発明に係る発光素子制御装置は、以上のように、発光素子の発光開始電流値である閾値電流を検出するとともに、該検出結果に基づいて、発光素子の最大出射光量を調整する光量調整信号を出力する光量調整手段を備えている。これにより、発光素子を常に所望の光量にてパルス発光させることができるという効果を奏する。
【００３９】
本発明に係る光情報記録再生装置は、以上のように、発光素子から出射された光の光量を検出する光検出手段と、上記光検出手段の検出結果に基づいて、電流の値を制御する電流制御信号を出力する電流制御手段と、上記電流制御信号に基づいて、発光素子の発光開始電流値である閾値電流を検出する閾値検出手段と、上記閾値検出手段の検出結果に基づいて、パルス信号のパルス幅を調整するパルス幅調整手段とを備えている。また、本発明に係る光情報記録再生装置は、以上のように、発光素子から出射された光の光量を検出する光検出手段と、上記光検出手段の検出結果に基づいて、電流の値を制御する電流制御信号を出力する電流制御手段と、上記電流制御信号に基づいて、発光素子の発光開始電流値である閾値電流を検出するとともに、該検出結果に基づいて、発光素子の最大出射光量を調整する光量調整信号を出力する光量調整手段とを備えている。これにより、記録媒体への情報の記録を高精度で行うことができるという効果を奏する。
【発明を実施するための最良の形態】
【００４０】
〔実施の形態１〕
本発明の第１の実施の形態について図１ないし図３に基づいて説明すると以下の通りである。本実施の形態は、発光素子から照射される光の光量を制御するとともに、発光素子制御装置を用いて発光素子から照射される光の光量を制御するものである。これにより、発光素子の閾値電流が変化する場合であっても、発光素子が常に所望の光量の光を出射することが可能となるため、記録媒体の再生精度の低下、および、記録媒体へ情報を記録する記録信号の品質低下を防止することが可能となる。ここで、閾値電流とは、発光素子が発光（発振）を開始する電流値のことである。
【００４１】
なお、本実施の形態においては、光情報記録再生装置として、光磁気ディスク記録再生装置を例に挙げて具体的に説明するが、本発明はこれに限定されるものではなく、発光素子を用いてパルス発光させる光情報記録再生装置に適用することができる。
【００４２】
図１は、本実施の形態に係る光ディスク記録再生装置（光情報記録再生装置）の概略構成を示すブロック図である。図１に示すように、本実施の形態に係る光ディスク記録再生装置１は、電流源２、スイッチ回路３、半導体レーザ（発光素子）４、光検出器（光検出手段）５、電流電圧変換回路６、差動増幅器７、再生モード基準電圧源８、記録モード基準電圧源９、切替スイッチ１０、ローパスフィルタ１１、駆動電流制御回路（電流制御手段）１２、アナログ／デジタル変換回路１３、発光素子制御装置１４、ゲート回路１５、およびメモリ１６を有している。
【００４３】
電流源２は、本実施の形態における光磁気ディスク記録再生装置１の発光素子を駆動するための電流を出力するものである。電流源２から出力された駆動電流によって、例えば、半導体レーザが駆動されるようになっている。スイッチ回路は、電流源から出力された駆動電流を半導体レーザ４に供給するか否かを切り替えるものである。
【００４４】
半導体レーザ４は、光情報記録媒体である光磁気ディスク（図示せず）への情報の記録、または光磁気ディスクに記録された情報の再生（以下、単に「光磁気ディスクの記録／再生」と記載する）を行うためのレーザ光を出射するものである。半導体レーザ４は、電流源２から供給された駆動電流の値に応じた光量のレーザ光を発光するようになっている。
【００４５】
光検出器５は、半導体レーザ４から出射されたレーザ光の光量を検出するものである。光検出器５は、検出した光量に応じた電流信号Ｓ１を出力するようになっている。電流電圧変換回路６は、光検出器５から出力された電流信号Ｓ１を入力し、電圧信号Ｓ２に変換するものである。電流電圧変換回路６は、電圧信号Ｓ２を差動増幅器７へと出力するようになっている。
【００４６】
差動増幅器７は２つの入力端子を有している。一方の入力端子は、電流電圧変換回路６から出力された電圧信号Ｓ２を入力する端子であり、他方の入力端子は、後述する切替スイッチ１０を介して再生モード基準電圧源８または記録モード基準電圧源９から出力された基準電圧信号Ｓ３を入力する端子である。差動増幅器７は、これらの異なる入力端子より入力した各電圧信号Ｓ２・Ｓ３の差を演算増幅し、その演算増幅した信号をローパスフィルタ１１に出力するようになっている。
【００４７】
再生モード基準電圧源８は、光磁気ディスクを再生する際の基準電圧信号Ｓ３を出力するものであり、記録モード基準電圧源９は、光磁気ディスクに情報を記録する際の基準電圧信号Ｓ３を出力するものである。この基準電圧信号Ｓ３は、光磁気ディスクを再生または記録する際の基準となる駆動電流を示す信号であり、半導体レーザ４から出射されるレーザ光の光量が予め設定された値となるようにするための信号である。
【００４８】
切替スイッチ１０は、差動増幅器７に接続する基準電圧源を、再生モード基準電圧源８または記録モード基準電圧源９のいずれかに切り替えるものである。切替スイッチ１０による切り替えは、後述するコントローラ１７から出力されるモード信号Ｓ７に応じて行われるようになっている。
【００４９】
ローパスフィルタ１１は、差動増幅器７から出力された信号の高周波成分を取り除くものである。これにより、後述するフィードバック制御を安定にするとともに、光磁気ディスク記録再生装置１に備えられたいずれかの回路に発生するサージ等の急激な変動によって半導体レーザ４が劣化することを防止することができる。
【００５０】
駆動電流制御回路１２は、ローパスフィルタ１１から出力された信号に応じて、駆動電流制御信号Ｓ４を出力するものである。駆動電流制御信号Ｓ４は、電流源２の出力電流を制御するための信号であり、ローパスフィルタ１１から出力された信号に対して、ゲイン調整やオフセット調整等を施すことにより生成され、電流源２およびアナログ／デジタル変換回路１３に対して出力される。アナログ／デジタル変換回路１３は、駆動電流制御回路１２より入力した駆動電流制御信号Ｓ４をデジタル信号に変換し、発光素子制御装置１４に出力するものである。
【００５１】
発光素子制御装置１４は、半導体レーザ４が出射する光の光量を制御するものであり、コントローラ（閾値検出手段）１７、パルス生成回路（パルス生成手段）１８、デューティ調整回路（パルス幅調整手段）１９を備えている。
【００５２】
コントローラ１７は、アナログ／デジタル変換回路１３から出力された駆動電流制御信号Ｓ５を入力し、これに基づいてデューティ調整回路１９へデューティ調整信号Ｓ６を出力するようになっている。また、コントローラ１７は、ゲート回路１５および切替スイッチ１０に対して、光磁気ディスクに記録された情報を再生する再生モードまたは光磁気ディスクに情報を記録する記録モードに設定するモード信号Ｓ７を出力するようになっている。デューティ調整信号Ｓ６とは、パルス生成回路１８から出力された変調パルス信号Ｓ８のパルス幅を調整するための信号である。
【００５３】
パルス生成回路１８は、光磁気ディスク上にグルーブの蛇行として記録された信号（ウォブル信号）からＰＬＬを用いてデータクロック信号を生成し出力するものである。パルス生成回路１８から出力される変調パルス信号Ｓ８の周波数は、記録データのチャネル周波数と同じである。また、磁気ヘッド（図示せず）を駆動する記録データ信号に同期し、特定の位相を持つように調整されたパルス信号である。
【００５４】
デューティ調整回路１９は、パルス生成回路１８から出力された変調パルス信号Ｓ８のパルス幅を調整するものである。デューティ調整回路１９にてパルス幅を調整された変調パルス信号Ｓ９は、ゲート回路１５に対して出力される。デューティとは、作動時間とそれに続く休止時間との和に対する作動時間の比を示すものであり、デューティ調整回路１９にて変調パルス信号Ｓ８のパルス幅を調整することによって、デューティが調整された変調パルス信号Ｓ９となる。
【００５５】
ゲート回路１５は２つの端子を有している。一方の端子は、デューティ調整回路１９から出力された変調パルス信号Ｓ９を入力する端子であり、他方の端子は、コントローラ１７から出力されたモード信号Ｓ７を入力する端子である。ゲート回路１５は、モード信号Ｓ７および変調パルス信号Ｓ９に基づいて、スイッチ回路３を切り替えるゲート信号を出力するようになっている。
【００５６】
メモリ１６は、駆動電流制御信号Ｓ５の値に対する、デューティ調整信号Ｓ６の値を予め計測した結果を格納するものである。
【００５７】
上記構成を有する光磁気ディスク記録再生装置１を用いて、光磁気ディスクの記録／再生を行う際に、半導体レーザ４から出射されるレーザ光の光量を制御する方法について説明する。
【００５８】
コントローラ１７から出力されるモード信号Ｓ７には、再生モードと記録モードとがある。本実施の形態においては、モード信号が「Ｈ」レベルの場合には記録モードとなり、「Ｌ」レベルの場合には再生モードとなる。これらのモード信号Ｓ７は、切替スイッチ１０およびゲート回路１５へ入力される。
【００５９】
切替スイッチ１０は、入力したモード信号に基づいてスイッチを切り替え、再生モード基準電圧源８または記録モード基準電圧源９のいずれかと接続する。すなわち、入力したモード信号が「Ｌ」レベルの場合には、再生モード基準電圧源８と接続し、「Ｈ」レベルの場合には、記録モード基準電圧源９と接続する。
【００６０】
一方、ゲート回路１５は、入力したモード信号Ｓ７および変調パルス信号Ｓ９に基づいてゲート信号を出力する。ゲート回路１５は、モード信号Ｓ７が「Ｌ」レベルの場合には、変調パルス信号Ｓ９にかかわらずスイッチ回路３に「Ｌ」レベルのゲート信号を出力する。また、モード信号Ｓ７が「Ｈ」レベルの場合には、ゲート回路１５は、変調パルス信号Ｓ９に応じて「Ｈ」レベルのゲート信号または「Ｌ」レベルのゲート信号をスイッチ回路に出力する。
【００６１】
従って、再生モードの場合（モード信号が「Ｌ」レベルの場合）には、変調パルス信号Ｓ９には関係なく、ゲート回路１５から出力されるゲート信号が「Ｌ」レベルに固定され、スイッチ回路３は常にオン状態となる。また、切替スイッチ１０は再生モード基準電圧源８に接続されており、半導体レーザ４は、基準電圧信号Ｓ３に基づいて制御された駆動電流に対応する光量のレーザ光を出射する。すなわち、再生モードでは、半導体レーザ４は直流発光する。
【００６２】
一方、記録モードの場合（モード信号が「Ｈ」レベルの場合）には、ゲート回路１５から出力されるゲート信号は、変調パルス信号Ｓ９に応じて「Ｈ」レベルまたは「Ｌ」レベルとなる。ゲート回路１５の出力が「Ｌ」レベルの場合、スイッチ回路３はオン状態となり、電流源１から出力される駆動電流が半導体レーザ４に流れる。ゲート回路１５の出力が「Ｈ」レベルの場合、スイッチ回路３はオフ状態となり、半導体レーザ４に駆動電流は流れない。すなわち、半導体レーザ４は、変調パルス信号Ｓ９に応じてパルス発光する。
【００６３】
上記のように、スイッチ回路３がオン状態の場合に、電流源１から出力された駆動電流はスイッチ回路３を介して半導体レーザ４に入力される。半導体レーザ４は、駆動電流の入力によって駆動し、この入力した駆動電流の値に応じた光量のレーザ光を出射する。
【００６４】
半導体レーザ４から出射されたレーザ光は、光磁気ディスクに照射され、一部のレーザ光は光検出器５に入射する。これにより、光磁気ディスクの記録／再生が行われるとともに、光検出器５にて半導体レーザ４から出射されたレーザ光の光量が検出される。
【００６５】
光検出器５は、検出した光量に応じた電流信号Ｓ１を出力し、この電流信号Ｓ１は電流電圧変換回路６に入力される。電流電圧変換回路６は、入力した電流信号Ｓ１を電圧信号Ｓ２に変換し、差動増幅器７へ出力する。出力された電圧信号Ｓ２は差動増幅器７の一方の入力端子に入力される。差動増幅器７の他方の入力端子には、モード信号Ｓ７が再生モードの場合には、切替スイッチ１０を介して再生モード基準電圧源８が接続されており、再生モードに対応する基準電圧信号Ｓ３が入力される。また、モード信号Ｓ７が記録モードの場合には、差動増幅器７の他方の入力端子には、記録モード基準電圧源９が接続されており、記録モードに対応する基準電圧信号Ｓ３が入力される。差動増幅回路７にて、電流電圧変換回路６から出力された電圧信号Ｓ２と、モード信号Ｓ７に応じた基準電圧信号Ｓ３との差が演算増幅され、この演算増幅された信号がローパスフィルタ１１に出力される。
【００６６】
ローパスフィルタ１１は、入力した信号の高周波成分を取り除いた後に、駆動電流制御回路１２へと出力する。駆動電流制御回路１２は、入力した信号に対してゲイン調整やオフセット調整等を施し、基準電圧源から出力された基準電圧信号Ｓ３の値と、電流電圧変換回路６から出力された電圧信号Ｓ２の値とが等しくなるように制御する駆動電流制御信号Ｓ４を生成する。そして、駆動電流制御回路１２は、駆動電流制御信号Ｓ４を電流源１に出力（フィードバック）するとともに、アナログ／デジタル変換回路１３に出力する。電流源１は、フィードバックされた駆動電流制御信号Ｓ４に応じた駆動電流を出力する。なお、電流源１に駆動電流制御信号Ｓ４をフィードバックする一連の制御を、フィードバック制御と称する。
【００６７】
ここで、半導体レーザ４の閾値電流が変化する場合に、半導体レーザ４から出射されるレーザ光の光量を制御する方法について、図２に基づきより具体的に説明する。図２は、半導体レーザ４の出射光量と駆動電流との関係（Ｉ−Ｐ曲線）を示すグラフである。
【００６８】
図２に示すように、半導体レーザ４の閾値電流をＩｔｈａとすると、半導体レーザ４に供給された駆動電流がＩ１の場合には、半導体レーザ４は出射光量Ｐ１で発光する。しかしながら、温度変化等によって閾値電流がＩｔｈｂに変化した場合には、半導体レーザ４に供給される駆動電流Ｉ１によって半導体レーザ４が発光する出射光量はＰ２に減少してしまう。
【００６９】
この場合、検出した光量に対応する電圧信号Ｓ２と基準電圧信号Ｓ３との差が大きくなる。このため、これら信号の値を等しくするために駆動電流制御信号Ｓ４の値を上昇させる。これにより、駆動電流制御信号Ｓ４を入力した電流源１は、出力する駆動電流がＩ２の値となるように制御される。半導体レーザ４は、駆動電流Ｉ２にて駆動されるため、出射光量Ｐ１で発光することとなり、出射光量が制御されることとなる。
【００７０】
再生モードにて半導体レーザ４が直流発光する場合、その出射光量が再生モード基準電圧源８にて設定された光量となるように、駆動電流が制御される。なお、再生モード時における半導体レーザ４の出射光量は、数ｍＷ程度の比較的低い光量である。
【００７１】
また、図２は、駆動電流が直流駆動されている場合、すなわち再生モードにおけるグラフであるが、記録モードにおいてパルス駆動されている場合であっても、同様にして出射光量を制御することができる。
【００７２】
記録モードにて半導体レーザ４がパルス発光する場合に、変調パルス信号Ｓ９の周波数は、数ＭＨｚから数十ＭＨｚの比較的高い周波数であるため、パルス発光による検出信号は平滑化される。このため、電流電圧変換回路６から出力される電圧信号Ｓ２は、パルス発光された光の平均光量を示すものになる。よって、その平均光量が記録モード基準電圧源９で設定された光量となるように駆動電流が制御される。
【００７３】
なお、記録モード時には、レーザ光により光磁気ディスクの記録膜をキューリ温度付近まで上昇させることによって、その保磁力を低下させて情報を記録するようになっている。このため、半導体レーザ４から出射されるレーザ光の光量のピーク値を高くする必要がある。具体的には、数十ｍＷの出射光量であることが好ましい。
【００７４】
以上のようにして、記録モード、再生モードのいずれの場合であっても、半導体レーザ４の出射光量を検出し、この検出結果に基づく電圧信号Ｓ２と基準電圧信号Ｓ３とを比較して駆動電流制御信号Ｓ４を生成し、それを電流源１にフィードバックすることによって半導体レーザ４の出射光量を制御することができる。これにより、半導体レーザ４の閾値電流が変化する場合であっても、半導体レーザ４から出射されるレーザ光の光量を常に所定の値に保持することができる。
【００７５】
なお、本実施の形態においては、上記のように半導体レーザ４の光量を制御することによって出射光量の変化を抑制することに加えて、半導体レーザ４の出射時間を制御している。すなわち、パルス発光のデューティをも制御している。これにより、半導体レーザ４の閾値電流が変化する場合であっても、半導体レーザ４から出射されるレーザ光の光量を制御することができるとともに、レーザ光の光量を制御することができる。
【００７６】
上記制御は、コントローラ１７にて閾値電流の変化を検出し、検出結果に基づきデューティ調整回路１９にて、パルス生成回路１８から出力された変調パルス信号Ｓ８のデューティを調整することにより行われる。以下、図２および図３に基づいて具体的に説明する。
【００７７】
図３（ａ）は、デューティ調整回路１９から出力される変調パルス信号Ｓ９の波形を示しており、横軸が時間、縦軸が電圧値である。図３（ｂ）は、図３（ａ）における駆動電流のパルス波形を示しており、横軸が時間、縦軸が駆動電流量である。図３（ｃ）は、図３（ａ）における半導体レーザ４のパルス発光の波形を示しており、横軸が時間、縦軸が出射光量である。
【００７８】
アナログ／デジタル変換回路１３は、駆動電流制御回路１２から入力した駆動電流制御信号Ｓ４をデジタル信号に変換し、コントローラ１７に出力する。コントローラ１７は、入力した駆動電流制御信号Ｓ５の電圧値の変化によって、半導体レーザ４の閾値電流の変化を検出することができる。
【００７９】
すなわち、図２に示すように、閾値電流の値が変化する場合であっても、光検出器５にて半導体レーザ４から出射されたレーザ光の光量を検出し、検出結果に基づく電圧信号Ｓ２の値と基準電圧信号Ｓ３の値とを比較することによって生成された駆動電流制御信号Ｓ４に基づいて閾値電流の変化を検出することができる。
【００８０】
図２に示すような再生モードの場合のみならず、記録モードにおいてパルス駆動されている場合であっても、駆動電流制御信号Ｓ４の電圧値の変化によって、半導体レーザ４の閾値電流の変化を検出することができるのは同様である。
【００８１】
また、コントローラ１７は、検出した閾値電流の変化に応じて変調パルス信号Ｓ８のパルス幅を調整するためのデューティ調整信号Ｓ６をデューティ調整回路１９に出力する。半導体レーザ４の閾値電流を示す駆動電流制御信号Ｓ５の値と、コントローラ１７から送られるべきデューティ調整信号Ｓ６の値との関係は、予め計測され、コントローラ１７に接続されたメモリ１６に格納されている。コントローラ１７は、記録モードに先立って、あるいは、記録モード中に、アナログ／デジタル変換回路１３から出力された駆動電流制御信号Ｓ５を入力し、メモリ１６に格納された値と比較することで、パルス発光のデューティを所定の値に保つための制御値を選び、デューティ調整信号Ｓ６を生成してデューティ調整回路１９に出力する。
【００８２】
デューティ調整回路１９は、コントローラ１７から出力されたデューティ調整信号Ｓ６を入力すると、パルス生成回路１８から出力された変調パルス信号Ｓ８のパルス幅を調整し、所定のパルス幅を有する変調パルス信号Ｓ９を出力する。これにより、半導体レーザ４から出射されるレーザ光の出射時間を調整することができる。すなわち、変調パルス信号Ｓ８のデューティが調整され、その結果、半導体レーザ４から出射されるレーザ光のデューティを調整することができる。変調パルス信号Ｓ８のデューティ調整は、例えば、半導体レーザ４から出射されるパルス発光のデューティが５０％となるように調整される。
【００８３】
具体的には、図３（ａ）〜（ｃ）に示すように、半導体レーザ４の閾値電流がＩｔｈａの場合、実線で示す変調パルス信号Ｓ９のパルス幅をＷａとすると、半導体レーザ４から出射されるパルス発光のデューティは５０％となる。一方、半導体レーザ４の閾値電流がＩｔｈｂに変化した場合には、破線で示すように、駆動電流制御信号Ｓ４の電流源１へのフィードバックによって駆動電流が上昇するとともに、コントローラ１７からのデューティ調整信号Ｓ６に基づいて、デューティ調整回路１９にて変調パルス信号Ｓ８のパルス幅がＷｂに調整される。
【００８４】
この結果、半導体レーザ４から出射されるパルス発光のデューティが５０％に保たれることになり、レーザ光の出射光量を所定の値に制御することが可能となり、レーザ光の光量の変動を抑制することができる。
【００８５】
以上のように、半導体レーザ４の閾値電流が変化する場合であっても、半導体レーザ４から出射されるレーザ光の光量を検出し、この検出結果に基づく電圧信号Ｓ２と基準電圧信号Ｓ３とを比較して駆動電圧制御信号Ｓ４を生成することによって、レーザ光から出射されるレーザ光の出射光量を所定の値となるように制御することができる。さらに、駆動電圧制御信号Ｓ４に基づいて半導体レーザ４の閾値電流を検出することが可能となり、変調パルス信号Ｓ８のパルス幅を調整することで、パルス発光のデューティを所定の値となるように制御することができる。これにより、出射光量のピーク値（最大出射光量）を所定の値に制御することができ、常に所望の光量にてレーザ光を出射することが可能となる。従って、光磁気ディスクの記録／再生を高精度にて行うことができる。
【００８６】
なお、光磁気ディスク装置等の光情報記録再生装置では、一般に、半導体レーザの帰還光によるノイズを抑制するために、駆動電流に数百ＭＨｚの高周波電流を重畳するといった、いわゆる高周波重畳が行われている。本実施の形態では説明を簡略化するために高周波重畳については省略しているものの、本発明は、高周波重畳を行う場合においても同様にして適用することができるものである。
【００８７】
さらに、変調パルス信号のデューティ調整とともに、情報データにより記録磁界を変調する磁界変調データと、レーザ光のパルス発光との位相を調整すれば、磁界変調データとレーザ光のパルス発光とのタイミングのずれをも抑制することができる。
【００８８】
なお、本実施の形態においては、光磁気ディスクに記録／再生する光情報記録再生装置について説明したが、本発明は、光磁気ディスクに情報を記録する光情報記録装置にも適用することができる。
【００８９】
〔実施の形態２〕
本発明の第２の実施の形態について図４および図５に基づいて説明する。本実施の形態は、発光素子制御装置を用いて発光素子から出射される光の出射光量のピーク値（最大出射光量）を制御することで、発光素子から出射されるレーザ光が所定の光量となるように制御するものである。これにより、発光素子の閾値電流が変化する場合であっても、記録媒体の再生精度の低下、および記録媒体へ情報を記録する記録信号の品質低下を防止することが可能となる。
【００９０】
なお、本実施の形態においても、光情報記録再生装置として、光磁気ディスク記録再生装置を例に挙げて具体的に説明するが、本発明はこれに限定されるものではなく、発光素子を用いてパルス発光させる光情報記録再生装置に適用することができる。
【００９１】
図４は、本実施の形態に係る光ディスク記録再生装置（光情報記録再生装置）２０の概略構成を示すブロック図である。図４に示すように、本実施の形態に係る光磁気ディスク記録再生装置２０は、図１に示す光磁気ディスク記録再生装置１と比較して、発光素子制御装置の構成が異なるのみで、他の構成については同様である。
【００９２】
本実施の形態における発光素子制御装置２１は、パルス生成回路（パルス生成手段）１８、コントローラ（光量調整手段）２２を備えている。パルス生成回路１８は、上記実施の形態１と同様である。コントローラ２２は、再生モードまたは記録モードのモード信号Ｓ７を出力する他に、記録モード基準電圧源９に対して電圧調整信号Ｓ１０を出力するようになっている。電圧調整信号Ｓ１０は、半導体レーザ４の閾値電流の変化に基づいて、記録モード基準電圧源９から出力される基準電圧信号Ｓ３を調整するための信号である。
【００９３】
記録モードにおいて、半導体レーザ４から出射される光量を制御する方法について図５に基づいて説明する。図５（ａ）は、変調パルス信号Ｓ８の波形を示しており、横軸が時間、縦軸が電圧値である。図５（ｂ）は、図５（ａ）における駆動電流のパルス波形を示しており、横軸が時間、縦軸が駆動電流量である。図５（ｃ）は、図５（ａ）における半導体レーザ４のパルス発光の波形を示しており、横軸が時間、縦軸が出射光量である。
【００９４】
図５（ｂ）に示すように、半導体レーザ４の閾値電流をＩｔｈａとすると、実線で示す変調パルス信号Ｓ８のパルス幅がＷａの場合、半導体レーザ４から出射されるパルス発光のデューティは５０％となる。また、半導体レーザ４の出射光量は、その平均値がＰａであり、ピーク値がＰｐである。パルス発光のデューティが５０％であるため、ピーク光量Ｐｐは、平均光量Ｐａの２倍となる。
【００９５】
半導体レーザ４の閾値電流がＩｔｈｂに変化した場合には、破線で示すように、駆動電流制御信号Ｓ４の電流源１へのフィードバック（フィードバック制御）によって駆動電流が上昇する。ただし、変調パルス信号Ｓ８のパルス幅は調整されないため、半導体レーザ４から出射されるパルス発光のデューティは５０％よりも小さくなる。このため、フィードバック制御によって平均出射光量が所定光量Ｐａに制御されると、ピーク光量Ｐｐｂは、所定のピーク光量Ｐｐよりも高い値となってしまう。
【００９６】
そこで、コントローラ２２から出力される電圧調整信号Ｓ１０の値を変更して、記録モード基準電圧源９から出力される記録モードに対応する基準電圧信号Ｓ３の調整が行われる。調整は、例えば、記録モード基準電圧源９がアナログ／デジタル変換器で構成されている場合、デジタル信号である電圧調整信号Ｓ１０を入力し、その値に応じて、アナログ電圧信号を出力することによって行われる。この結果、半導体レーザ４から出射されるパルス発光のピーク光量の値が所定の値Ｐｐに保たれることになる。
【００９７】
ここで、半導体レーザ４の閾値電流を示す駆動電流制御信号Ｓ５に対する、コントローラ２２から送られるべき電圧調整信号Ｓ１０の値は、予め計測され、コントローラ２２に接続されたメモリ１６に格納されている。コントローラ２２は、記録モードに先立って、あるいは、記録モード中に、アナログ／デジタル変換回路１３から出力される駆動電流制御信号Ｓ５を入力して閾値電流を検出し、メモリ１６に格納された値と比較することにより、パルス発光のピーク光量を所定の値Ｐｐに保つための制御値を選び、電圧調整信号Ｓ１０を生成して記録モード基準電圧源９に出力する。
【００９８】
なお、本実施の形態における光磁気ディスク記録再生装置２０は、変調パルス信号Ｓ８のデューティを調整する構成ではないため、半導体レーザ４の閾値電流の変化に伴って、パルス発光のデューティは変化する。しかしながら、パルス発光のピーク光量を所定の値Ｐｐに保つため、記録信号の品質低下を抑制することができる。これは、パルス発光のピーク光量を所定の値Ｐｐに保つために平均光量Ｐａは変化するものの、光磁気ディスクの情報記録品質を決めるのは主にピーク光量であり、平均光量Ｐａの変化による影響は小さいためである。
【００９９】
また、本実施の形態における光磁気ディスク記録再生装置２０は、数ｎｓ単位で変調パルス信号Ｓ８のデューティを制御するデューティ調整回路が不要となるため、光磁気ディスク記録再生装置を構成する回路を大幅に簡略化することが可能となる。
【０１００】
なお、本発明は、上記高周波重畳を行う場合においても同様にして適用することができる。また、本発明は、光磁気ディスクに情報を記録する光情報記録装置にも適用することができる。
【０１０１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０２】
以上のように、本発明にかかる発光素子制御装置を用いることによって、得られる光情報記録再生装置は、信頼性の高い記録および再生を行うことができる。また、本発明にかかる発光素子制御装置は、小型化、高密度化、高速化、低消費電力化された光情報記録再生装置として特に好適に用いることができる。
【０１０３】
従って、本発明は、単に、光情報記録再生装置を製造する産業分野のみならず、発光素子を製造する産業分野や、光情報記録再生装置に関する他の各種電子・電気部品を製造する産業分野に好適に用いることができる。
【図面の簡単な説明】
【０１０４】
【図１】本発明の実施の一形態における光磁気ディスク記録再生装置の概略構成を示すブロック図である。
【図２】本発明の実施の一形態における、出射光量と駆動電流との関係を示すグラフである。
【図３】図３（ａ）は、デューティ調整回路から出力される変調パルス信号の波形を示す図であり、図３（ｂ）は、駆動電流のパルス波形を示す図であり、図３（ｃ）は、半導体レーザのパルス発光の波形を示す図である。
【図４】本発明の他の実施の形態における光磁気ディスク記録再生装置の概略構成を示すブロック図である。
【図５】本発明の他の実施の形態における、出射光量と駆動電流との関係を示すグラフである。
【図６】従来の光情報記録再生装置における、出射光量と駆動電流との関係を示すグラフである。
【図７】図７（ａ）は、従来の半導体レーザ駆動電流のパルス波形を示す図であり、図７（ｂ）は、従来の半導体レーザのパルス発光の波形を示す図である。
【符号の説明】
【０１０５】
１    光磁気ディスク記録再生装置（光情報記録再生装置）
４    半導体レーザ（発光素子）
５    光検出器（光検出手段）
１２  駆動電流制御回路（電流制御手段）
１４  発光素子制御装置
１７  コントローラ（閾値検出手段）
１８  パルス生成回路（パルス生成手段）
１９  デューティ調整回路（パルス幅調整手段）
２０  光磁気ディスク記録再生装置（光情報記録再生装置）
２１  発光素子制御装置
２２  コントローラ（光量調整手段）
【図１】
2005191264.tif 000003
【図２】
2005191264.tif 000004
【図３】
2005191264.tif 000005
【図４】
2005191264.tif 000006
【図５】
2005191264.tif 000007
【図６】
2005191264.tif 000008
【図７】
2005191264.tif 000009